(57)【要約】      （修正有）【課題】カメラ一体型記録再生装置において、どの位の期間経過すると結露モードが解除されるかをユーザーに認識させることができる記録再生装置を提供する。【解決手段】結露検出センサー１３に露付きが発生しているかどうかを判断するマイコン９を有する記録再生装置において、マイコン９の判断結果から結露検出センサー１３の露なし状態から露付き状態に変化している第１の期間を設定する手段と、判断手段の結果により結露検出センサーの露付き状態から露なし状態に変化した時点から所定時間が経過するまでの第２の期間を設定する手段を有し、記録再生装置が第１の期間に設定されているのか、第２の期間に設定されているのかを示す情報を表示文字発生回路１０、文字表示パネル装置１２を有する。【選択図】      図１
2004220673.tif 000002
【特許請求の範囲】
【請求項１】
記録再生装置内部に内蔵された結露検出手段と前記結露検出手段の出力信号から前記結露検出手段に露付きが発生しているかどうかを判断する判断手段を有する記録再生装置において、
前記判断手段の判断結果から前記結露検出手段の露なし状態から露付き状態に変化している第１の期間を設定する手段と、前記判断手段の結果により前記結露検出手段の露付き状態から露なし状態に変化した時点から所定時間が経過するまでの第２の期間を設定する手段を有し、記録再生装置が前記第１の期間に設定されているのか、前記第２の期間に設定されているのかを示す情報を表示する手段を有することを特徴とする記録再生装置。
【請求項２】
前記第２の期間に設定されている期間、前記所定期間の経過に関連した情報を表示することを特徴とする請求項１記載の記録再生装置。
【請求項３】
複数の記録媒体を選択的に使用可能であり、選択されている記録媒体に応じて前記第１の期間と第２の期間に設定されていることを示す情報の表示の実行を制御する手段を有することを特徴とする請求項１又は２記載の記録再生装置。
【発明の詳細な説明】
【０００１】
【発明の属する技術分野】
本発明は、カメラ一体型記録再生装置の内部に結露が発生した場合に実行される保護動作の表示に関するものである。
【０００２】
【従来の技術】
図６はカメラ一体型記録再生装置を示すブロック図である。
【０００３】
図６において、３１は記録媒体である磁気テープ３２が装着されるとともに、磁気ヘッドが具備された回転ドラム及び磁気テープ送りを行うためのキャプスタン、ピンチローラーが具備されたメカシャーシであり、４０はメカシャーシ３１の近傍に配置された結露検出センサー、３３は前記メカシャーシ３１を駆動するためのサーボ／メカ駆動回路、３４はサーボ／メカ駆動回路３３を制御するとともに、装置全体のＯＮ／ＯＦＦを選択する電源スイッチ３５の状態を判別し、電源ＯＮ状態が選択されている場合には、装置全体３７の電源供給回路をＯＮし、電源ＯＦＦ状態が選択されている場合には、前記電源供給回路をＯＦＦするように制御するとともに、結露検出センサー４０からの信号を受信するマイコンである。
【０００４】
３６は記録／記録一時停止モード等、装置全体の動作モードを選択するための操作ボタンである。３８はマイクロフォン、レンズ、カメラ信号処理回路から構成されるカメラブロック回路であり、３９はカメラブロック回路３８から出力されるカメラビデオ信号、オーディオ信号を処理し、メカシャーシ３１に具備される磁気ヘッドを介して、磁気テープ３２で記録されるべきＲＦに変換するためのビデオ／オーディオ信号処理回路である。
【０００５】
上記装置を用いて撮影を行う場合には、ユーザーは電源スイッチ３５をＯＦＦ状態からＯＮ状態に移動させる。マイコン３４は、電源スイッチ３５がＯＮ選択されたことを検出すると、電源回路３７を動作させ、装置全体のブロックに電源が供給されるように制御する。
【０００６】
次に、マイコン３４は、結露検出センサー４０からの信号を受信し、受信された信号の結果から結露検出センサー４０が露付き状態にあるかどうかを判別する。マイコン３）は、結露検出センサー４０が露付き状態でないと判別した場合、サーボ／メカ駆動回路３３を介してメカシャーシ３１に記録可能な磁気テープ３２が装着されているかを検出する。
【０００７】
マイコン３４はメカシャーシ３１に磁気テープ３２が装着されていることを検出した場合には、自動的にメカシャーシ３１の状態を停止モードから、記録一時停止モードへ移行させるようサーボ／メカ駆動回路３３を制御する。サーボ／メカ駆動回路３３は、メカシャーシ３１に具備されたドラムモーターを回転させるとともに、キャプスタンとピンチローラを磁気テープに圧着させ、回転する磁気ヘッドと、磁気テープを適度なテンションで接触するように制御し、記録一時停止モードへの移行を終了する。
【０００８】
マイコン３４は、結露検出センサー４０が露付き状態であると判別した場合、近傍のメカシャーシ３１も同様に結露状態である可能性が高いため、装置全体を結露保護モードに移行させメカシャーシ３１の状態を停止モードに保つと同時に操作ボタン３６の受付を禁止し、記録テープ３２がメカシャーシ３１に巻き込まれる等のダメージを防止する。その後、マイコン３４は、継続的に結露検出センサー４０が結露状態であるかを判別し、結露検出センサー４０が結露状態でないと判別されてから所定時間（結露タイマー）後に結露保護モードを解除しメカシャーシ３１を停止モードから、記録一時停止モードへ移行させるようサーボ／メカ駆動回路３３を制御するとともに、操作ボタン３６の受付禁止を解除する。
【０００９】
【発明が解決しようとする課題】
従来、カメラ一体型記録再生装置では、装置が結露保護モードに移行した場合には、装置に具備される表示部材等に結露保護モード実行中を知らせる警告文字等を出力することでユーザーに告知しているが、前記結露保護モード実行中は、同一文言の警告文字表示を継続しているため、継続中の結露保護モードが結露センサーに露がついている（メカシャーシに露がついている可能性が高い）状態なのか、結露センサー自体の露付きは解消しているが、露付き解消からの所定期間（結露タイマー）が経過するのを待っている待機状態なのか、又、後どの位の期間が経過すると結露モードが解除されるのかを判別することができない等の問題があった。
【００１０】
本発明は上記問題に鑑みてなされたもで、その目的とする処は、実行中の結露保護モードの状態結露センサーに露がついている状態なのか、結露センサー自体の露付きは解消して所定期間（結露タイマー）実行中の待機状態なのか、どの位の期間経過すると結露モードが解除されるのかをユーザーに認識させることができる記録再生装置を提供することにある。
【００１１】
【課題を解決するための手段】
上記目的を達成するため、本発明は、記録再生装置内部に内蔵された結露検出手段と前記結露検出手段の出力信号から前記結露検出手段に露付きが発生しているかどうかを判断する判断手段を有する記録再生装置において、前記判断手段の判断結果から前記結露検出手段の露なし状態から露付き状態に変化している第１の期間を設定する手段と、前記判断手段の結果により前記結露検出手段の露付き状態から露なし状態に変化した時点から所定時間が経過するまでの第２の期間を設定する手段を有し、記録再生装置が前記第１の期間に設定されているのか、前記第２の期間に設定されているのかを示す情報を表示する手段を有することを特徴とする。
【００１２】
【発明の実施の形態】
以下に本発明の実施の形態を添付図面に基づいて説明する。
【００１３】
＜実施の形態１＞
図１は本発明の具体的な実施の形態であるカメラ一体型記録再生装置を示すブロック図である。
【００１４】
図１において、１は記録媒体である磁気テープ、２は磁気ヘッドが具備された回転ドラム、３は磁気テープ送りを行うためのキャプスタン、ピンチローラ、４は前記回転ドラム２及びキャプスタン、ピンチローラ３を駆動するためのサーボ／メカ駆動回路、１３は回転ドラムの近傍に配置された結露検出センサー、９は装置全体を制御するマイコンである。
【００１５】
又、１１は装置の動作モードを選択するための操作ボタン、１４はマイコン９により制御される装置の動作状態を示すＬＥＤである。７はマイクロフォン、６はレンズ、カメラ信号処理回路から構成されるカメラブロック回路、５はカメラブロック回路６から出力されるカメラビデオ信号とマイクロフォン７から出力されるオーディオ信号を処理して回転ドラム２に具備された磁気ヘッドを介して磁気テープ１で記録されるべきＲＦに変換するためのビデオ／オーディオ信号処理回路である。
【００１６】
１５はカメラブロック回路６から出力されるカメラビデオ信号をデジタル信号圧縮処理を行い、記録媒体であるメモリーカード１６に記録されるべく信号に処理をするデジタル信号処理回路である。
【００１７】
１０はマイコン９により制御され、ユーザーが操作ボタン１１により、装置の動作モード等の選択操作を行う場合や結露保護モード時に文字データ等をビデオ／オーディオ信号処理回路５を介して、文字表示パネル装置１２に出力するための表示文字発生回路、８はカメラブロック回路６から出力された信号がビデオ／オーディオ信号処理回路５を介し出力されるビデオ信号端子である。
【００１８】
図３は図１のマイコン９の結露保護モード制御の動作を示すフローチャートである。
【００１９】
処理Ｓ１では、結露検出センサー１３から出力される信号を判断し、結露検出センサー１３が露付き状態であるかを判別する。露付き状態であると判別された場合、処理Ｓ２にて、マイコン９の内部フラグである結露モードフラグをセットする。
【００２０】
次に、処理Ｓ３にて、マイコン９内部の結露タイマーを初期化する。結露タイマーは、結露検出センサー１３の露付き状態が解消した時点から、更にどれ位の期間結露保護モードを継続させるかを設定するタイマーであり、通常６０分程度の期間が初期設定される。
【００２１】
処理Ｓ４では、マイコン９は操作ボタン１１により選択されている、装置の動作モードを判別する。カメラブロック回路６から出力された信号を磁気テープ１に記録するモードが選択されている場合は、処理Ｓ５にて、図４の結露モード表示１に示されるような告知表示を文字表示パネル装置１２に出力するように表示文字発生回路１０を制御する。
【００２２】
処理Ｓ４にて、カメラブロック回路６から出力された信号をメモリーカード２０に記録するモードが選択されている場合には、処理Ｓ１２にて、文字表示パネル装置１２に結露保護モードに関する告知表示が出力されないように表示文字発生回路１０を制御する。
【００２３】
処理Ｓ１にて、結露検出センサー１３が露付き状態でないと判別された場合、処理Ｓ６にて、マイコン９内部の結露モードフラグの状態を判別する。結露モードフラグがリセットされている場合は、処理を終了し、結露モードフラグがセットされている場合には、処理Ｓ７にて、マイコン９内部の結露タイマーを１減算する。
【００２４】
処理Ｓ８では、減算された結露タイマー値を判断し、結露タイマー値がゼロで無い場合、処理Ｓ９で、マイコン９は操作ボタン１１により選択されている、装置の動作モードを判別する。カメラブロック回路６から出力された信号を磁気テープ１に記録するモードが選択されている場合は、処理Ｓ１０にて、図４の結露モード表示２に示されるような告知表示を文字表示パネル装置１２に出力するように表示文字発生回路１０を制御する。
【００２５】
図４の結露モード表示２の告知は、結露検出センサー１３の露付きが解消した後の所定期間（結露タイマー）動作中の状態であることと、結露タイマー残りカウント値から算出される結露保護モード解除までの目安所要時間を併せて表示している。
【００２６】
結露処理Ｓ９にて、カメラブロック回路６から出力された信号をメモリーカード２０に記録するモードが選択されている場合には、処理Ｓ１２にて、文字表示パネル装置１２に結露保護モードに関する告知表示が出力されないように表示文字発生回路１０を制御する。処理Ｓ８で、減算された結露タイマー値がゼロである場合、処理Ｓ１１にて、マイコン９内部の結露モードフラグをリセットし処理Ｓ１２へ移行する。
【００２７】
マイコン９が実行する上記一連の結露モード検出処理が、１分間に一度実行され、処理Ｓ３で結露タイマー値が６０分に初期化された場合、図４の結露モード表示２に示される残り時間は、５９分から１分の値を示すように制御される。
【００２８】
＜実施の形態２＞
図５は本発明の実施の形態２を示すフローチャートである。
【００２９】
処理Ｓ１〜Ｓ４、処理Ｓ６〜Ｓ９、処理Ｓ１１は、実施の形態１で示した内容と同等な処理を行う。
【００３０】
図５の処理Ｓ５では、図２のＬＥＤ１４を第１の周期で点滅させるように制御し、処理Ｓ１０では、図２のＬＥＤ１４をマイコン９内部の結露タイマー値に関連した、第１の周期とは異なる第２の周期で点滅させるように制御し、処理Ｓ１２では、図２のＬＥＤ１４を点灯状態に制御する。
【００３１】
＜実施の形態３＞
前記実施の形態１，２では、磁気テープ記録媒体を使用した記録装置に関して説明を行ったが、本発明は磁気テープ以外の記録媒体にも実施可能であり、図２はディスク記録媒体に実施した形態を示すブロック図である。
【００３２】
１８はディスク記録媒体、１９はディスク記録媒体１８を回転駆動するディスクモーター、２０はディスク記録媒体１８に信号を記録または再生するための信号ヘッド、２１は信号ヘッド２０の搬送を行うアクチュエーター、２２はディスクモーター１９及びアクチュエーター２１の駆動を制御するサーボ／メカ駆動回路である。５〜１６は図１で説明したブロックと同等の動作を行うブロックである。１７はビデオ／オーディオ信号処理回路から出力される信号をデジタル符号に変換するデジタル信号処理回路である。
【００３３】
ディスクを記録再生媒体に使用する装置では、ディスク記録媒体１８、信号ヘッド２０が結露した状態で装置を駆動しても、記録再生媒体に致命的なダメージを与える場合は少ないが、結露した場合に、信号ヘッド２０はディスク記録媒体１８の信号を記録できない、又はディスク記録媒体１８から信号を再生できなくなるため、記録媒体にテープを使用している装置同等に、結露保護モードが必要である。
【００３４】
ディスクを記録再生媒体に使用した装置の場合でも、マイコン９の動作は、図３又は図５と同等の処理を行うことで本発明を実施することが可能となる。
【００３５】
【発明の効果】
以上の説明で明らかなように、本発明では、カメラ一体型記録再生装置の結露保護モード実行中に結露センサーの露付き状態に応じて、表示部材に出力される警告文字の種類を変更すると共に、結露センサーの露つき解消後の所定期間内において結露モード解除までの目安所要時間を併せて表示し、又、表示部材に出力される警告文字の代わりにＬＥＤの点灯／点滅周期を制御することで、ユーザーは、実行中の結露保護モードの状態結露センサーに露がついている（メカシャーシに露がついている可能性が高い）状態なのか、結露センサー自体の露付きは解消して所定期間（結露タイマー）実行中の待機状態なのか、どの位の期間経過すると結露モードが解除されるのかを認識することができる。又、メモリーカード等の結露状態でも、記録再生制御が可能となる記録再生媒体を使用する場合では、結露モード表示を停止するとともに、操作ボタンの受付を行うようにシステムを構成すれば、広範囲の環境下での装置の使用が可能となる。
【図面の簡単な説明】
【図１】本発明の実施の形態１を示すブロック図である。
【図２】本発明の実施の形態３を示すブロック図である。
【図３】マイコンの動作を示すフローチャートである。
【図４】表示部材に出力される文字表示の一例を示す図である。
【図５】本発明の実施の形態２を示すブロック図である。
【図６】従来の装置を説明するブロック図である。
【符号の説明】
１      磁気テープ
２      回転ドラム
３      キャプスタン、ピンチローラ
４      サーボ／メカ駆動回路
５      ビデオ／オーディオ信号処理回路
６      カメラブロック回路
７      マイクロフォン
８      ビデオ信号端子
９      マイコン
１０    表示文字発生回路
１１    操作ボタン
１２    文字表示パネル装置
１３    結露検出センサー
１４    ＬＥＤ
１５    デジタル信号処理回路
１６    メモリカード
【図１】
2004220673.tif 000003
【図２】
2004220673.tif 000004
【図３】
2004220673.tif 000005
【図４】
2004220673.tif 000006
【図５】
2004220673.tif 000007
【図６】
2004220673.tif 000008